(57)【特許請求の範囲】
【請求項１】
断熱壁にて構成され、上面に開口する本体と、この本体の内側に間隔を存して設けられた仕切板と、この仕切板の内側に構成された貯蔵室と、前記本体と仕切板間に構成されたダクトと、このダクト内に配設された冷却装置の冷却器及び送風機と、前記断熱壁の背壁上部から前方に張り出した天壁と、この天壁の下側に形成され、前記ダクトに連通した吹出口とを備え、前記冷却器と熱交換した冷気を送風機により前記吹出口から吹き出して成るショーケースにおいて、
後端部が前記本体に固定され、前記天壁の上面を構成する天面板と、前記天壁前端下面に取り付けられて前記吹出口の上縁を縁取る樹脂製の整流部材とを備え、前記天面板は、その上面部前端から降下する前面部を有し、前記整流部材は、前記天壁に固定される固定部とこの固定部の前端から起立してプライスカードを保持するためのプライスレール部とを一体に有すると共に、このプライスレール部が前記天面板の前面部前側に重複した状態で、前記整流部材は前記天面板に固定されていることを特徴とするオープンショーケース。
【請求項２】
天面板の前面部は、当該天面板の後端部の固定位置を中心とし、上面部の前端を通る円弧の接線よりも内側に指向されていることを特徴とする請求項１のオープンショーケース。
【請求項３】
天面板の前面部下端には後方に折曲された取付部が形成され、整流部材の固定部の前部は前記取付部に当接し、下側からネジ止めされていることを特徴とする請求項１又は請求項２のオープンショーケース。
【請求項４】
天壁は、断熱材と、この断熱材の下面に位置して前記吹出口の上面を構成する内板とを備え、整流部材はこの内板前端に載置される突起を備えていることを特徴とする請求項１、請求項２又は請求項３のオープンショーケース。
【請求項５】
整流部材の突起を天壁の断熱材に密着させたことを特徴とする請求項４のオープンショーケース。
【請求項６】
整流部材のプライスレール部は上部が後退するよう傾斜すると共に、天面板の前面部も下部が前進するよう傾斜し、且つ、前記プライスレール部の垂直方向に対する角度は、前記前面部の垂直方向に対する角度よりも大きくなるよう設定されていることを特徴とする請求項１、請求項２、請求項３、請求項４又は請求項５のオープンショーケース。
【発明の詳細な説明】
【０００１】
【発明の属する技術分野】
本発明は、断熱壁にて構成された本体の天壁上に天面板を取り付け、天壁前端下面には吹出口の上縁を縁取る樹脂製の整流部材を取り付けて成るオープンショーケースに関するものである。
【０００２】
【従来の技術】
従来よりこの種オープンショーケースは、例えば特開平８−２３３４４１号公報に示される如く、断熱壁から成る本体の天壁上に天面板を取り付けている。また、特に平型と称されるオープンショーケースの場合には、前記天壁の下側に冷気の吹出口が形成され、この吹出口の上縁は樹脂製の整流部材にて縁取る構成とされていた。
【０００３】
以下、図３を参照して係る従来のオープンショーケース１００の構造を説明する。この場合のオープンショーケース１００は上面に開口した断熱壁１０２により本体１０５が構成されている。この本体１０５の断熱壁１０２の内側には間隔を存して鋼板製の仕切板１０３が取り付けられており、この仕切板１０３の内側に上面の開口１０４を備えた貯蔵室１０６が、また、仕切板１０３と断熱壁１０２間にはダクト１０７が構成されている。
【０００４】
前記断熱壁１０２の背壁１０２Ａ上端には、天壁１０８が前方に張り出して取り付けられている。そして、この天壁１０８と仕切板１０３の上端間に吹出口１０９が形成され、ダクト１０７に連通している。このダクト１０７内には図示しない冷却装置に含まれる冷却器と送風機が設置されており、この冷却器と熱交換した冷気が送風機によって加速され、吹出口１０９から開口１０４に吹き出される。尚、１１３、１１４はこの吹出口１０９内に取り付けられた風向板である。
【０００５】
一方、前記天壁１０８は、成形断熱材などから成る断熱材１１６と、この断熱材１１６の下面に位置する内板１１７と、断熱材１１６の上方を覆う天面板１１８と、前部に取り付けられた硬質樹脂製の整流部材１１９などから構成されており、前記内板１１７が吹出口１０９の上面を構成すると共に、整流部材１１９は吹出口１０９の上縁を縁取るかたちとされている。
【０００６】
この整流部材１１９は吹出口１０９の上縁を縁取る固定部１２１と、この固定部１２１の上面前部に起立して形成された当接部１２２とから成り、前記固定部１２１が内板１１７の下面にネジ１２３にて下方から固定され、当接部１２２は断熱材１１６の前側に位置している。
【０００７】
また、前記天面板１１８は鋼板を折曲して構成され、天壁１０８の上面を構成する上面部１２４と、この上面部１２４の後端から略垂直に降下する後面部１２６と、上面部１２４の前部から前方に低く傾斜しながら降下する前面部１２７と、この前面部１２７の先端から下方に鈎状に折り返された前端フランジ部１２８とを備えている。そして、後面部１２６の下端が断熱壁１０２にネジ１２９にて固定されると共に、前面部１２７は整流部材１１９の当接部１２２に当接し、そこにネジ１３１にて固定されている。
【０００８】
このとき、整流部材１１９の前端は前端フランジ部１２８に当接している。このように樹脂製の整流部材１１９が吹出口１０９の上縁を縁取ることにより、結露を抑制する。そして、更に天面板１１８の前面部１２７上にはプライスカードを保持するためのプライスレール１３２が接着剤により貼り付けられる構造とされていた。
【０００９】
【発明が解決しようとする課題】
このように従来ではプライスレール１３２と整流部材１１９は別体に構成されていたため、部品点数が多くなり、コストの高騰と生産性の悪化を引き起こしていた。また、天面板１１８は後面部１２６のネジ止め部（ネジ１２９の部分）を中心として図３中時計回りに復元しようとするため、前端フランジ１２８と整流部材１１９は常に離れる方向の力を受けている。
【００１０】
そのため、両者の間に隙間が生じ易くなり、湿気などの侵入を防ぐためのシールが面倒となると共に、ネジ１３１が緩むと、最悪の場合には天面板１１８が外れて浮き上がってしまう問題があった。また、このネジ１３１を締める際にはプライスレール１３２を剥がして行わなければならず、作業は極めて面倒なものであった。
【００１１】
そこで、本発明は係る従来の技術的課題を解決するために成されたものであり、少ない部品で本体の天壁を構成し、その強度も向上させたオープンショーケースを提供することを目的とする。
【００１２】
【課題を解決するための手段】
本発明のオープンショーケースは、断熱壁にて構成され、上面に開口する本体と、この本体の内側に間隔を存して設けられた仕切板と、この仕切板の内側に構成された貯蔵室と、本体と仕切板間に構成されたダクトと、このダクト内に配設された冷却装置の冷却器及び送風機と、断熱壁の背壁上部から前方に張り出した天壁と、この天壁の下側に形成され、ダクトに連通した吹出口とを備え、冷却器と熱交換した冷気を送風機により吹出口から吹き出して成るものであって、後端部が本体に固定され、天壁の上面を構成する天面板と、天壁前端下面に取り付けられて吹出口の上縁を縁取る樹脂製の整流部材とを備えており、天面板は、その上面部前端から降下する前面部を有し、整流部材は、天壁に固定される固定部とこの固定部の前端から起立してプライスカードを保持するためのプライスレール部とを一体に有すると共に、このプライスレール部が天面板の前面部前側に重複した状態で、整流部材は天面板に固定されていることを特徴とする。
【００１３】
本発明によれば、断熱壁にて構成され、上面に開口する本体と、この本体の内側に間隔を存して設けられた仕切板と、この仕切板の内側に構成された貯蔵室と、本体と仕切板間に構成されたダクトと、このダクト内に配設された冷却装置の冷却器及び送風機と、断熱壁の背壁上部から前方に張り出した天壁と、この天壁の下側に形成され、ダクトに連通した吹出口とを備え、冷却器と熱交換した冷気を送風機により吹出口から吹き出して成るオープンショーケースにおいて、後端部が本体に固定され、天壁の上面を構成する天面板と、天壁前端下面に取り付けられて吹出口の上縁を縁取る樹脂製の整流部材とを備え、天面板は、その上面部前端から降下する前面部を有し、整流部材は、天壁に固定される固定部とこの固定部の前端から起立してプライスカードを保持するためのプライスレール部とを一体に有すると共に、このプライスレール部が天面板の前面部前側に重複した状態で、整流部材は天面板に固定されるようにしたので、格別なプライスレールを別途取り付ける必要が無くなり、部品点数の削減と組立作業性の改善によるコストの低減を図ることが可能となる。
【００１４】
特に、樹脂製の整流部材のプライスレール部が天面板の前面部前側に重複した状態で、整流部材を天面板に固定するようにしているので、整流部材と天面板間に隙間が生じ難くなり、組立強度とシール性並びに断熱性が向上するものである。
【００１５】
請求項２の発明のオープンショーケースは、上記において天面板の前面部は、当該天面板の後端部の固定位置を中心とし、上面部の前端を通る円弧の接線よりも内側に指向されていることを特徴とする。
【００１６】
請求項２の発明によれば、上記に加えて天面板の前面部は、当該天面板の後端部の固定位置を中心とし、上面部の前端を通る円弧の接線よりも内側に指向されているので、固定位置を中心として復元力が働いても、天面板は整流部材のプライスレール部に阻止されて回動できなくなる。これにより、天面板の外れは確実に阻止され、天壁の組立強度は一層向上するものである。
【００１７】
請求項３の発明のオープンショーケースは、上記各発明において天面板の前面部下端には後方に折曲された取付部が形成され、整流部材の固定部の前部は取付部に当接し、下側からネジ止めされていることを特徴とする。
【００１８】
請求項３の発明によれば、上記各発明に加えて天面板の前面部下端に後方に折曲された取付部を形成し、整流部材の固定部の前部を取付部に当接させ、下側からネジ止めするようにしたので、整流部材を天面板に取り付け・取り外しする作業が極めて容易となり、生産性の更なる向上を図れるものである。
【００１９】
請求項４の発明のオープンショーケースは、上記各発明において天壁は、断熱材と、この断熱材の下面に位置して吹出口の上面を構成する内板とを備え、整流部材はこの内板前端に載置される突起を備えていることを特徴とする。
【００２０】
請求項４の発明によれば、上記各発明に加えて天壁は、断熱材と、この断熱材の下面に位置して吹出口の上面を構成する内板とを備えており、整流部材はこの内板前端に載置される突起を備えているので、突起部分にて整流部材の荷重を内板に保持させることができるようになり、整流部材は内板から脱落し難くなると共に、整流部材を内板に位置決めして取り付ける作業も容易となるものである。
【００２１】
請求項５の発明のオープンショーケースは、上記において整流部材の突起を天壁の断熱材に密着させたことを特徴とする。
【００２２】
請求項５の発明によれば、上記に加えて整流部材の突起を天壁の断熱材に密着させたので、これによって断熱材を保持できるようになり、断熱材の固定作業が容易となると共に、シール性も更に向上するものである。
【００２３】
請求項６の発明のオープンショーケースは、上記各発明において整流部材のプライスレール部は上部が後退するよう傾斜すると共に、天面板の前面部も下部が前進するよう傾斜し、且つ、プライスレール部の垂直方向に対する角度は、前面部の垂直方向に対する角度よりも大きくなるよう設定されていることを特徴とする。
【００２４】
請求項６の発明によれば、上記各発明に加えて整流部材のプライスレール部は上部が後退するよう傾斜すると共に、天面板の前面部も下部が前進するよう傾斜し、且つ、プライスレール部の垂直方向に対する角度は、前面部の垂直方向に対する角度よりも大きくなるよう設定したので、整流部材のプライスレール部は天面板の前面部に密着することになる。これにより、天壁の組立強度並びにシール性は一層向上するものである。
【００２５】
【発明の実施の形態】
以下、図面に基づき本発明の実施形態を詳述する。図１は本発明の実施例のオープンショーケース１の縦断側面図、図２はオープンショーケース１の吹出口９部分の拡大縦断側面図をそれぞれ示している。オープンショーケース１はスーパーマーケットなどの店舗内に設置される所謂平型の低温ショーケースであり、上面に開口した箱状の断熱壁２により本体５が構成されている。
【００２６】
係る断熱壁２の内側には間隔を存して鋼板製の仕切板３が取り付けられており、この仕切板３の内側に上面の開口４を備えた貯蔵室６が、また、仕切板３と断熱壁２間にはダクト７が構成される。この貯蔵室６の底部にはデックパン８が取り付けられ、このデックパン８の下方には、前記ダクト７に連通した下部ダクト９が構成され、この下部ダクト９内には冷却装置に含まれる冷却器１１と送風機１２が配設されている。
【００２７】
前記断熱壁２の背壁２Ａ上端には、天壁１３が前方に張り出して取り付けられている。そして、この天壁１３と仕切板３の上端間に吹出口１４が形成され、ダクト７に連通している。断熱壁２の前壁２Ｂは背壁２Ａよりも低く形成されており、前壁２Ｂの上端には二重ガラスなどから成る透明板１６が立設されている。更に、この透明板１６の内側にはガード１７との間に吸込口１８が構成され、前記下部ダクト９に連通している。
【００２８】
そして、冷却器１１と熱交換した冷気は送風機１２によって加速され、吹出口１４から開口４に吹き出され、吸込口１８から吸い込まれる。これにより、開口４にエアーカーテンを形成しながら貯蔵室６内を冷却する。尚、１９、２１は吹出口１４内に取り付けられた風向板である。
【００２９】
一方、図２において前記天壁１３は、成形断熱材などから成る断熱材２２と、この断熱材２２の下面に位置する内板２３と、断熱材２２の上方を覆う天面板２４と、前部に取り付けられた硬質樹脂製の整流部材２６とから構成されており、前記内板２３が吹出口１４の上面を構成する。また、樹脂製の整流部材２６は吹出口１４の上縁を縁取るかたちとされ、これによって、吹出口１４上部への結露を防止する。
【００３０】
この整流部材２６は吹出口１４の上縁を縁取る固定部２７と、この固定部２７の上面中央部から起立し、後方に屈曲形成された突起２８と、固定部２７の前端から起立し、上部が後退するように傾斜したプライスレール部２９とが一体に成形されている。尚、このプライスレール部２９は図示しないプライスカードを前面に保持するものである。
【００３１】
そして、突起２８は内板２３の前縁に起立して折曲形成されたフランジ３１上に載置され、且つ、突起２８の先端は断熱材２２の前面に密着される。その状態で、固定部２７は内板２３の下面にネジ３２にて下方から固定される。係る構成により、整流部材２６のネジ止めは突起２８がフランジ３１上に載置されて仮保持された状態で行えるので、位置決めとネジ止め作業は極めて容易となる。また、突起２８が断熱材２２に密着することにより、断熱材２２の保持とシールが為される。
【００３２】
一方、前記天面板２４は鋼板を折曲して構成され、天壁１３の上面を構成する上面部３３と、この上面部３３の後端から略垂直に降下する後面部３４と、上面部３３の前端から下部が前進するように前方に低く傾斜しながら降下する前面部３６と、この前面部３６の先端から後方に略直角に折曲された取付部３７とを備えている。
【００３３】
そして、後面部３４の下端が内板２３の後縁に起立して折曲形成されたフランジ３８にネジ３９にて固定されると共に、前面部３６は整流部材２６のプライスレール部２９裏面に密着し、それによって、プライスレール部２９はこの前面部３６前側に重複する。また、整流部材２６の固定部２７の前部は取付部３７に当接し、そこにネジ４１にて下側から固定されている。尚、このネジ４１は吹出口１４より前方に位置している。
【００３４】
ここで、天面板２４の前面部３６は、ネジ３９を中心として上面部３３の前端を通る円弧の接線よりも内側に指向するように折曲されている。従って、ネジ３９を中心として天面板２４に復元力が働いても、天面板２４は整流部材２６のプライスレール部２９に阻止されて回動できない。
【００３５】
また、整流部材２６のプライスレール部２９の垂直方向に対する角度は、天面板２４の前面部３６の垂直方向に対する角度よりも大きくなるように設定されている。従って、整流部材２６のプライスレール部２９は天面板２４の前面部３６側に常時テンションが加えられ、それに密着することになる。これらにより、天壁１３全体の組立強度、並びに、シール性が著しく向上する。
【００３６】
【発明の効果】
以上詳述した如く本発明によれば、断熱壁にて構成され、上面に開口する本体と、この本体の内側に間隔を存して設けられた仕切板と、この仕切板の内側に構成された貯蔵室と、本体と仕切板間に構成されたダクトと、このダクト内に配設された冷却装置の冷却器及び送風機と、断熱壁の背壁上部から前方に張り出した天壁と、この天壁の下側に形成され、ダクトに連通した吹出口とを備え、冷却器と熱交換した冷気を送風機により吹出口から吹き出して成るオープンショーケースにおいて、後端部が本体に固定され、天壁の上面を構成する天面板と、天壁前端下面に取り付けられて吹出口の上縁を縁取る樹脂製の整流部材とを備え、天面板は、その上面部前端から降下する前面部を有し、整流部材は、天壁に固定される固定部とこの固定部の前端から起立してプライスカードを保持するためのプライスレール部とを一体に有すると共に、このプライスレール部が天面板の前面部前側に重複した状態で、整流部材は天面板に固定されるようにしたので、格別なプライスレールを別途取り付ける必要が無くなり、部品点数の削減と組立作業性の改善によるコストの低減を図ることが可能となる。
【００３７】
特に、樹脂製の整流部材のプライスレール部が天面板の前面部前側に重複した状態で、整流部材を天面板に固定するようにしているので、整流部材と天面板間に隙間が生じ難くなり、組立強度とシール性並びに断熱性が向上するものである。
【００３８】
請求項２の発明によれば、上記に加えて天面板の前面部は、当該天面板の後端部の固定位置を中心とし、上面部の前端を通る円弧の接線よりも内側に指向されているので、固定位置を中心として復元力が働いても、天面板は整流部材のプライスレール部に阻止されて回動できなくなる。これにより、天面板の外れは確実に阻止され、天壁の組立強度は一層向上するものである。
【００３９】
請求項３の発明によれば、上記各発明に加えて天面板の前面部下端に後方に折曲された取付部を形成し、整流部材の固定部の前部を取付部に当接させ、下側からネジ止めするようにしたので、整流部材を天面板に取り付け・取り外しする作業が極めて容易となり、生産性の更なる向上を図れるものである。
【００４０】
請求項４の発明によれば、上記各発明に加えて天壁は、断熱材と、この断熱材の下面に位置して吹出口の上面を構成する内板とを備えており、整流部材はこの内板前端に載置される突起を備えているので、突起部分にて整流部材の荷重を内板に保持させることができるようになり、整流部材は内板から脱落し難くなると共に、整流部材を内板に位置決めして取り付ける作業も容易となるものである。
【００４１】
請求項５の発明によれば、上記に加えて整流部材の突起を天壁の断熱材に密着させたので、これによって断熱材を保持できるようになり、断熱材の固定作業が容易となると共に、シール性も更に向上するものである。
【００４２】
請求項６の発明によれば、上記各発明に加えて整流部材のプライスレール部は上部が後退するよう傾斜すると共に、天面板の前面部も下部が前進するよう傾斜し、且つ、プライスレール部の垂直方向に対する角度は、前面部の垂直方向に対する角度よりも大きくなるよう設定したので、整流部材のプライスレール部は天面板の前面部に密着することになる。これにより、天壁の組立強度並びにシール性は一層向上するものである。
【図面の簡単な説明】
【図１】本発明の実施例のオープンショーケースの縦断側面図である。
【図２】図１のオープンショーケースの吹出口部分の拡大縦断側面図である。
【図３】従来のオープンショーケースの吹出口部分の拡大縦断側面図である。
【符号の説明】
１  オープンショーケース
２  断熱壁
２Ａ  背壁
３  仕切板
４  開口
５  本体
６  貯蔵室
７  ダクト
１１  冷却器
１２  送風機
１３  天壁
１４  吹出口
２２  断熱材
２３  内板
２４  天面板
２６  整流部材
２７  固定部
２８  突起
２９  プライスレール部
３３  上面部
３４  後面部
３６  前面部
３７  取付部
３９、４１  ネジ
【図１】
0003831544.tif 000002
【図２】
0003831544.tif 000003
【図３】
0003831544.tif 000004